(57)【特許請求の範囲】
【請求項１】
床側若しくはドア枠側に埋設され、両開きのドア（２）を自閉させる両開きドアクローザであって、
クローザ（１）のケーシング本体（１Ａ）内部に油圧制動方式のシリンダ（４）と、一端にピストンロッド（４２）が連結されたピストン（４１）とシリンダ室（４０）の端とに配設されたドア（２）に閉じ力を付与する圧縮ばね（５）と、上下２層に設けた第１カム（６Ａ）と第２カム（６Ｂ）と、これらカムに係合・圧接するピン（７１）〜（７４）及び補助ピン（７５）を設けた回動プレート（７）と、自動温度補正機構（８）と、ドア（２）の自閉力を油圧力で制動する逆止弁（４１Ａ）を使用したダンパ機構と、を備えた両開きドアクローザにおいて、
前記回動プレート（７）はドア（２）に一体に固定された回転軸のシリンダ（４）内の回転軸（９）と一体に回動するとともに、カム室（６０）内を前後に進退するものであり、第１カム（６Ａ）を上下から挟むように設けられ、
前記第１カム（６Ａ）のカム面にロック溝（６２Ａ）（６３Ａ）を形成するとともに、第２カム（６Ｂ）のカム面に中央尖端部とその上下に曲面部を形成して両カム面が略ハート形をなし、
前記回転プレート（７）に設けられたピン（７１）（７２）とピン（７３）（７４）とは回転軸（９）と補助ピン（７５）を挟んで両側に配置され、
ドア（２）の閉状態において回転軸（９）がロック溝（６２Ａ）に係合し、補助ピン（７５）が中央尖端部に係合し、ドア（２）を９０°開放したときピン（７１）がロック溝（６３Ａ）に係合して一時的にロックされ、
さらにドア（２）を開放すると第１カム（６Ａ）がカム室（６０）内部の右端側縁部で係止して９０°を越えた一定角度以上のドア開放を阻止し、この状態で第１カム（６Ａ）及び第２カム（６Ｂ）と一体に連結されたピストンロッド（４２）及びピストン（４１）も移動した結果ピストン（４１）に設けられた圧縮ばね（５）も圧縮されていてその弾性エネルギーによりドアを閉じることを特徴とする両開きドアクローザ。
【請求項２】
前記第１カム（６Ａ）は、略Ｏ字形に形成され、カム室（６０）と平行に配設されているとともに、中央部分の孔（６１Ａ）に回転軸（９）の下端部が貫通され、前記第２カム（６Ｂ）は、略Ｅ字形に形成され、第１カム（６Ａ）の基部側の上部に重層させて配設されたことを特徴とする請求項１に記載の両開きドアクローザ。
【請求項３】
前記ドア（２）の開放角度が０°〜７０°前後までは、補助ピン（７５）が第２カム（６Ｂ）に摺動し、７０°を越える場合には、ピン（７３）（７４）が第１カム（６Ａ）の内周面を摺動するようにしたことを特徴とする請求項１又は２に記載の両開きドアクローザ。
【発明の詳細な説明】
【０００１】
【発明の属する技術分野】
この発明は、両方向に扉が回転する両開きドアに係り、特に床内若しくは上部枠内に設置することができる両開きドアクローザに関するものである。
【０００２】
【従来の技術】
例えばビル、デパート、ホテル、図書館或いは公共施設の玄関及び事務所等には、両開きのドアを設置することがある。また、このような場所に設置するドアには、ドアを自閉するドアクローザを取り付けていることが多い。
【０００３】
ところで、このドアは例えば一枚のガラスで構成したり、薄手の金属或いは木製のもの等で形成することがあるが、このようなドアにクローザを設置しようとすると、ドア内部に寸法的に収まりきれないので、ドアに取り付ける替わりに、床内部（或いは天井内部）等に埋設させることが多い。
【０００４】
このような両開きのドアに使用するクローザとして、外カム機構を利用したものが知られており、そのカムに外接するピンにシリンダ内のばねの弾性力を常時付勢して自閉力を発生させるとともに、閉扉時にはシリンダ内に発生する油圧力によってドアに制動力（ダンパ力）を付与するようになっている。
【０００５】
【発明が解決しようとする課題】
しかしながら、このようなクローザでは、ある程度大きな自閉力を確保するためにはその分大きなばねを必要とするから、ドアクローザとしてはどうしても大型化（特に広幅化を伴う）が避けられない、といった問題を抱えている。逆にばねを小さくする場合には、必要な自閉力（トルク力）を確保するために、カムの大型化がどうしても避けられないから、この場合にもドアクローザとして大型となってしまう。
【０００６】
そこで、この発明は、上記した事情に鑑み、全体の幅や高さをスリムさせた小型のものであっても、大きな自閉力を発生することができる両開きドアクローザを提供することを目的とするものである。
【０００７】
【課題を解決するための手段】
即ち、この発明は、床側若しくはドア枠側に埋設され、両開きのドアを自閉させる両開きドアクローザであって、クローザのケーシング本体内部に油圧制動方式のシリンダと、一端にピストンロッドが連結されたピストンとシリンダ室の端とに配設されたドアに閉じ力を付与する圧縮ばねと、上下２層に設けた第１カムと第２カムと、これらカムに係合・圧接するピン及び補助ピンを設けた回動プレートと、自動温度補正機構と、ドアの自閉力を油圧力で制動する逆止弁を使用したダンパ機構と、を備えた両開きドアクローザにおいて、前記回動プレートはドアに一体に固定された回転軸のシリンダ内の回転軸と一体に回動するとともに、カム室内を前後に進退するものであり、第１カムを上下から挟むように設けられ、前記第１カムのカム面にロック溝を形成するとともに、第２カムのカム面に中央尖端部とその上下に曲面部を形成して両カム面が略ハート形をなし、前記回転プレートに設けられたピンとピンとは回転軸と補助ピンを挟んで両側に配置され、ドアの閉状態において回転軸がロック溝に係合し、補助ピンが中央尖端部に係合し、ドアを９０°開放したときピンがロック溝に係合して一時的にロックされ、さらにドアを開放すると第１カムがカム室内部の右端側縁部で係止して９０°を越えた一定角度以上のドア開放を阻止し、この状態で第１カム及び第２カムと一体に連結されたピストンロッド及びピストンも移動した結果ピストンに設けられた圧縮ばねも圧縮されていてその弾性エネルギーによりドアを閉じるようにしたものである。
【０００８】
【発明の実施の形態】
以下、この発明の好適な実施例について添付図面を参照しながら説明する。
図１及び図２は、この発明に係る両開きドアクローザ（以下クローザと略す）１を示すものである。この実施例のクローザ１は、比較的小型のものであって特に厚さを薄くスリム化させた形状のものであり、ドア２直下の床スラブ３に埋設したセメントケース３０内部に図示外のねじ等を用いて前後左右の位置調整（芯出し）がなされて設けられている。
【０００９】
クローザ１のケーシング本体１Ａ内部には、油圧制動方式のシリンダ４と、ドア２に閉じ力を付与する圧縮ばね５と、上下２層に設けた第１及び第２カム６Ａ、６Ｂと、これらのカム６Ａ、６Ｂに係合・圧接するコロ等を設けた回動プレート７と、自動温度補正機構８とを備えている。
なお、図中符号２１はドア２側に一体に固定されるとともに、軸受け１Ｃで下端部が回転自在に支持された回転軸を示す。
【００１０】
シリンダ４は、シリンダ室４０内部に滑動自在のピストン４１を備えるとともに、このピストン４１に一端を連結したピストンロッド４２を備えている。なお、このシリンダ室４０内部のピストン４１との間に自閉用の圧縮ばね５が配設されている。また、このピストン４１には、ドア２の自閉力を油圧力で制動する逆止弁４１Ａを使用したダンパ機構が設けられており、図１において、左側のシリンダ室（以下左シリンダ室４０Ｌ）から右側のシリンダ室（以下右シリンダ室４０Ｒ）へはオイルが流入するのを阻止するように構成されている。
なお、このピストン４１によってシリンダ室４０が左右に分割されて右シリンダ室（低圧側）４０Ｒと左シリンダ室（高圧側）４０Ｌとを形成しており、特に右シリンダ室４０Ｒには自動温度補正機構８の調整バルブ室８２と連通する流出路４４を設けているとともに、左シリンダ室４０Ｌには自動温度補正機構８の調整バルブ室８２と連通する流入路４５を設けている。
【００１１】
第１及び第２カム６Ａ、６Ｂは、ピストンロッド４２のピストン４１を取り付けている一端部とは逆の他端部に固設されてカム室６０内部に移動自在に設けられている。このうち第１カム６Ａは、略Ｏ字形に形成されており、カム室６０と平行に配設されているとともに、中央部分に大きく開口する孔６１Ａには回転軸９の下端部が貫通されている。
一方、第２カム６Ｂは、略Ｅ字形に形成されており、第１カム６Ａの基部側の上部（この実施例では一部が第２カム６Ｂの下部にも取り付けてある）に重層させた状態で形成されている。
【００１２】
このように、この発明のカムは、回転軸９の大きな回転半径を確保することができる内カム機構のものが使用されており、これによって小スペースで外カム機構のものに比べ効率よい大きな自閉力を得ることができるのである。
なお、この第１及び第２カム６Ａ、６Ｂは、両開きドアに適用させるために、左右対称形状のものが使用されており、第１カム６Ａの一部にはドア２の閉鎖時にしっかりとドア２をロックするロック溝６２Ａ及び９０度開放時に一時的にドア２をロックさせるためのロック溝６３Ａが形成されている。また、シリンダ室４０及びカム室６０には適宜のオイルが充填・封入されている。
【００１３】
また回動プレート７は、ドア２の回転軸９と一体に回動するとともにカム室６０内を前後に進退するものであって、この実施例では第１カム６Ａを上下から挟む恰好で設けられており、４個のピン７１乃至７４と補助ピン７５とが直立状態で取り付けられている。なお、この回動プレート７は、この実施例では８角形をなしているが、特にその形状には制限はなくピンや補助ピンが第１及び第２カム６Ａ、６Ｂの各所に係合・圧接する際に、この第１及び第２カム６Ａ、６Ｂに接触せぬ形状であればよい。
【００１４】
自動温度補正機構８は、既に出願され公開されている公報（平成１年特許願第２２５３２０号）に記載のものと同様のものが使用されており、詳細についてはこれを参照されたい。なお、この実施例の自動温度補正機構８には、制動力（ダンパ力）の調整・制御を行うために、本体１Ａの外側に調整ねじ８１が付設されている。
【００１５】
次に、この実施例の作用について説明する。
例えばドア２を閉鎖状態から開いていくと、このドア２と一体に回転軸９及び回動プレート７が回動する。
【００１６】
そして、図３に示すように、同図において時計周り方向に３０度開扉すると、、ロック溝６２Ａから回転軸９が抜け出すとともに、ピン７１のみが第１カム６Ａの孔の右縁部に係合するとともにそれまで係合していたピン７４は右縁部から離間する。なお、このとき、補助ピン７５が第２カム６Ｂの中央尖端部からなだらかな上部曲面部に係合位置を移していく。
これにより、第１及び第２カム６Ａ、６Ｂが圧縮ばね５の弾性力に抗してカム室６０内を右方に移動していくことができるから、これらのカム６Ａ、６Ｂと一体に連結したピストンロッド４２及びピストン４１も、同方向に同量移動する。その結果、このピストン４１に一端が設けられた圧縮ばね５も圧縮され、弾性エネルギーが蓄えられるのである。
【００１７】
また図４に示すようにドア２が例えば６０度開放されるときにも、同様の作用がなされ、圧縮ばね５にはさらにエネルギーが蓄積されていく。なお、この場合にはピン７３も第１カム６Ａに係合・圧接する。
【００１８】
さらに、ドア２が開放されて図５に示すように、９０度開放されると、ピン７１がロック溝６３Ａに嵌入することとなるから、一時的にその状態でドア２の開放動作がロックされることとなる。
【００１９】
また、さらにドア２が開放され丁度１１５度まで開放されると、図６において第１カム６Ａがカム室６０内部の右端側縁部ところに係止するから、この角度以上に開放することが阻止される。
【００２０】
次に、このように開放されたドア２から手を放すと、それまで蓄積されている圧縮ばね５の弾性エネルギーがピストン４１及びピストンロッド４２を介して第１カム６Ａに作用し、この弾性力がピンを各図において左方に引き戻すような引張力が発生する。
【００２１】
これにより、このピンを取り付けてある回動プレート７にも左方に引き戻すトルクが作用するから、この力によって回動プレート７は回転軸９を中心として反時計周りの回動力（トルク）、つまり自閉力が発生する。その結果、ドア２は元の完全に閉鎖する状態まで閉じていくことができるのである。なお、この閉じ動作の際に、ダンパ機構の作用によってドア２の閉鎖速度を充分に制動・減速させることができるようになっている。
【００２２】
また、このダンパ力が作用した場合に、回動プレート７の回動速度の方が第１カム６Ａの戻り動作よりも早いときには回動プレート７が一時的にフリーの状態になってしまい、速度の不整合によるがたつきを生じる虞れがあるが、補助ピン７５やピンが第１、第２カムに摺動することによってこのがたつきの防止を図ることができる。つまり、ドア２に開放角度が０度からほぼ７０度前後までは、補助ピン７５が第２カム６Ｂに摺動し、この７０度を越える場合にはピン７３、７４が第１カム６Ａの内周面の左縁部に摺動することによって、がたつきを防止できる。
【００２３】
従って、この実施例によれば、寸法が小さく弾性力の小さなばね５であっても、内カム機構によって大きなトルク（自閉力）を発生できるから、特にこのクローザ本体１Ａの薄型化が実現可能であり、現場での取り付け工事もその分容易となる。
【００２４】
【発明の効果】
以上説明してきたようにこの発明によれば、ドアと一体に回転する回転軸を固着した回動プレートと、この回動プレートに立設したピン等の係合部材と、この係合部材が係合する略ハート形等に開口されたカム面を有し、直線運動を回転運動に変える内カムを用いたトルク伝達機構とを備えてあり、この内カムを用いて大きな回転動作をその内カム側に発生することができるから、自閉用のばねが小さい圧縮力であっても、トルク（自閉力）も大きく増大させることができる。これにより、小型のものであっても大型で大重量のドアを確実に閉鎖させることが可能となるから、クローザの薄型化や幅狭化が実現可能になり、例えば厚さを薄型にできるから従来埋設が困難であった薄いスラブ床にも埋設することができるようになる。また、挟幅化（スリム化）によって外観的にすっきりとして見栄えの良いものも提供できるようになる。
【００２５】
また、この発明によれば、シリンダ内から排出されるオイルの流出量を周囲の温度変化に合わせて適宜調整する自動温度補正機構とを備えており、一度閉鎖時間を（初期）設定しておけば、例えば夏期や冬期の温度変化に伴うオイルの粘度変化をバルブの開閉にて自動調整して常時その設定時間で閉扉することができるようになるから、特に屋外との境界に接する場所等に適用する両開きドアとして使用するのに都合がよい。
【図面の簡単な説明】
【図１】この発明に係る両開きドアクローザを示す縦断面図。
【図２】図１のＡ−Ａ線断面図。
【図３】この発明にかかるクローザの作用を示す説明図。
【図４】同説明図。
【図５】同説明図。
【図６】同説明図。
【符号の説明】
１    クローザ
２    ドア
３    床
４    シリンダ
５    ばね
６Ａ  第１カム（内カム）
６Ｂ  第２カム（内カム）
７    回動プレート
８    自動温度補償機構
９    回転軸
【図１】
0003746862.tif 000002
【図２】
0003746862.tif 000003
【図３】
0003746862.tif 000004
【図４】
0003746862.tif 000005
【図５】
0003746862.tif 000006
【図６】
0003746862.tif 000007